(57)【特許請求の範囲】
【請求項１】
槽の開口部上に連設配置する複数のパネルと、
隣接するパネルの側部間の上下に長さ方向に沿って介在させる弾性の気密保持材と、
隣接するパネル相互の間隔を、該気密保持材の損傷を生じさせるような縮小を防止し得る間隔に規制すべく、該パネルの長さ方向に沿って少なくともその一方の側部に構成した規制突条と、
前記槽の開口部の周縁部とパネル下部及び下方の気密保持材の下面との間に配する弾性の気密保持敷設材と、
前記パネルを槽の開口部の周縁部に取付取外自在に取り付ける取付手段と、
で構成した槽の蓋構造。
【請求項２】
前記気密保持材を一対の弾性気密材で構成し、上記各弾性気密材を、隣接する前記パネルの側部上下に、各々先端部が対面当接するように固設した請求項１の槽の蓋構造。
【請求項３】
前記弾性気密材を、
パネルの側部の上部又は下部に取り付けるための長尺の取付部と、
該取付部に沿って配された筒形の弾性圧接部と、
該弾性圧接部の上側部又は下側部に構成する規制部であって、対面する弾性圧接部相互が圧接させられた場合に圧接部位の後退を一定限度に規制する規制部と、
で構成した請求項２の槽の蓋構造。
【請求項４】
前記弾性圧接部を軟質の弾性部材で、前記取付部及び規制部を硬質の弾性部材で、それぞれ構成した請求項３の槽の蓋構造。
【請求項５】
前記弾性圧接部の両端部に、それを備えた弾性気密材をパネルの側部の下部に取り付けた場合に、その下側部側が前記気密保持敷設材に隙間なく当接し得るように、下部側の形状を平面的に保持する形状保持部材を充填した請求項３の槽の蓋構造。
【請求項６】
前記気密保持敷設材を、長尺の弾性介在部とその厚みの圧縮寸法を一定限度に規制するスペーサ片とで構成した請求項１の槽の蓋構造。
【請求項７】
前記弾性介在部を軟質の弾性部材で二枚の板状部材に構成し、前記スペーサ片を上記二枚の板状部材に構成した弾性介在部の間にそれらと下面が一致しかつ一体である硬質の弾性部材の板状部材に構成した請求項６の槽の蓋構造。
【請求項８】
隣接する二つのパネルに、その側部間に介在させた気密保持材の弾力により該二つのパネル間が拡開しようとするのを防止すべく、拡開防止手段を係脱自在に係止した請求項１又は２の槽の蓋構造。
【請求項９】
前記拡開防止手段を、隣接する二つのパネルの対面する側部を構成する両縦板部を同時に挟む一対の挟持板と、該一対の挟持板をその外端で繋ぐ結合板とで構成した請求項８の槽の蓋構造。
【発明の詳細な説明】
【０００１】
【発明の属する技術分野】
本発明は、槽の蓋構造に関し、例えば、上下水道施設等に使用される各種の処理槽の蓋構造に関するものである。
【０００２】
【従来の技術】
従来は、例えば、浄水場の濾過池等の処理槽ではその上部開口を蓋で被覆することは行なわれていなかったが、高濃度オゾンを使用してオゾン脱臭処理過程を行なう高度浄水処理等が行なわれるようになったことにともない、該オゾンの漏洩を防止するため、当該過程の行なわれる処理槽を気密を保持しつつ被覆する蓋構造が採用されるに至った。
【０００３】
そのような気密を保持する必要のある処理槽等に使用される蓋構造の一つとして複数の軽金属中空押出パネルを連設して処理槽等の上部開口を被覆するものがあり、これらの蓋構造では、当然、気密を保持し得る状態での中空押出パネル相互の連結が要求されるが、そのような連結構造として実公昭６０−４２１２８号が提案されている。
【０００４】
これは、図８に示すように、嵌合方式により中空押出パネル１０１、１０１相互を連結するものであり、中空押出パネル１０１の長手方向に沿って左端上部には凹状係合部１０２を、左端下部には突条係合部１０３を、それぞれ設け、右端上部には隣接する中空押出パネル１０１の上記凹状係合部１０２に係合し得る突条係合部１０４を、右端下部には上記突条係合部１０３に係合し得る凹状係合部１０５を、それぞれ設け、隣接する左側の中空押出パネル１０１の下部の凹状係合部１０５に右側の中空押出パネル１０１の下部の突条係合部１０３を挿入嵌合した状態で、ここを支点として右側の中空押出パネル１０１を反時計まわり方向に回転させて左側の中空押出パネル１０１の上部の突条係合部１０４に凹状係合部１０２を外装嵌合させるようになっており、その後、上部の凹状係合部１０２と突条係合部１０４の摺動嵌合面の両側に跨がって構成した鍵溝１０６、１０６中に差込み体１０７を挿入して係合部相互をロックし得るようになっているものである。
【０００５】
上記従来例では、連結部が嵌合方式であって、中空押出パネルはアルミニウム等の軽合金製であるが、その本体とともに連結部の凹状係合部１０２、１０５及び突条係合部１０３、１０４も、当然、アルミニウム等の軽合金によって一体に構成されているものであり、趣旨に反して、必ずしも充分な密閉性は得られず、前記のような、高度浄水処理を行なう処理槽に於いて使用できるものではない。
【０００６】
更には、このような処理槽では、内部点検又は清掃等の作業上の必要から、当然、該処理槽の上部開口の開閉の必要があるが、その際には、必ずしも全部を一度に開ける必要はなく、かえって一部だけを開けたい場合がある。
前記従来例の場合は、設置されているいずれかの中空押出パネル１０１を取り外すためには、前記差込み体１０７を引き抜いた上で、隣接する左側の中空押出パネル１０１との下部連結部を支点として時計まわり方向に回転させなければならないものである。そのため設置された複数の中空押出パネル１０１、１０１…の端部のそれから取り外す外ないものであって、任意の位置の中空押出パネル１０１を自由に取り外し、任意の位置を開けることができない構造と云わなければならない。
【０００７】
【発明が解決しようとする課題】
本発明は、しかして、前記のような上下水道施設等の各種の槽に用いる蓋構造であって、該槽の気密を保持し得、かつ任意の位置の部分的な開閉が容易に行ない得る槽の蓋構造を提供することを解決の課題とする。
【０００８】
【課題を解決するための手段】
本発明は、槽の開口部上に連設配置する複数のパネルと、隣接するパネルの側部間の上下に長さ方向に沿って介在させる弾性の気密保持材と、隣接するパネル相互の間隔を、該気密保持材の損傷を生じさせるような縮小を防止し得る間隔に規制すべく、該パネルの長さ方向に沿って少なくともその一方の側部に構成した規制突条と、前記槽の開口部の周縁部とパネル下部及び下方の気密保持材の下面との間に配する弾性の気密保持敷設材と、前記パネルを槽の開口部の周縁部に取付取外自在に取り付ける取付手段と、で構成した槽の蓋構造である。
【０００９】
したがって本発明の槽の蓋構造によれば、槽の開口部を閉じる場合には、上記開口部の周縁部上に前記気密保持敷設材を配した上で、該開口部上に、これを被覆すべく、隣接するパネルの側部間の上下にそれぞれ弾性の気密保持材を介在させつつ必要数のパネルを連設配置し、次いで、各パネルを開口部の周縁部に取付手段で固設すれば良い。このとき前記気密保持材は予め一方のパネルの側部に固設しておくこととするのが良い。
【００１０】
なお以上の設置過程に於いて、各パネル間は、規制突条を一方の側部にのみ設けた場合は、その規制突条の先端が他方の側部に当接するまで、双方の側部に設けた場合は、両規制突条の先端が相互に当接するまで、隣接するパネルをその間の気密保持材を圧縮しつつ狭め、次いで該気密保持材の弾力で僅かに戻った程度に定め、この状態で固設するのが良い。
【００１１】
また各パネルは、一又は数枚単位毎に取付手段で固設するのが良い。取付の手順は全パネルを開口部上に配してから一度に行なっても良いが、二枚程度以上の数枚を設置する毎に行なうのが、パネル間の間隔を適切に保持する観点からもまた一部の開閉を自由にする観点からも都合が良い。
【００１２】
したがってこの槽の蓋構造によれば、隣接するパネル間に弾性の気密保持材が介在させてあるので、この部位に於ける槽内外の気密が確実に保持される。またパネルの側部の一方又は双方に規制突条が構成してあり、前記のように、これによってパネルを設置する際にその間隔が必要以上に縮小されるのを防止し得る。しかしてこれを通じて、槽内外の気密を保持するのに適当な気密保持材の縮小状態が確保できることとなる。また必要以上の縮小を防止することによって気密保持材の損傷の防止も確保できることとなる。更に以上によりパネル間の間隔がほぼ一定に保持し得ることににもなり、パネルの正確なセットが行なわれることとなる。
【００１３】
前記槽の開口部の周縁部とパネル下部及び下方の気密保持材の下面との間に配される弾性の気密保持敷設材によって、この部位に於ける槽内外の気密も確実に保持できることとなるものである。
【００１４】
また前記のように、この槽の蓋構造は、複数のパネルを連設配置してその側部間に気密保持材を介在させた構成のものであり、パネルは、所望の単位枚数づつ取付手段で取り付けることが可能であり、例えば、二枚単位で取付固定することとした場合は、二枚づつ取り外しをすることが可能になる。隣接する相互のパネルは、取り外しの際に、回転させるとか離間方向に引くとかの必要がないので、極めて簡単に取り外すことができるものである。
【００１５】
以上の本発明に於いて、前記気密保持材を一対の弾性気密材で構成し、上記各弾性気密材を、隣接する前記パネルの側部上下に、各々先端部が対面当接するように固設することができ、このように構成した場合は、各々の弾性気密材の基部がパネルの側部に予め固設されるものであるため、その部位に於ける気密の保持が確実になり、かつ隣接するパネルの弾性気密材はその先端部が相互に対面当接するものであり、この当接は相互に弾力性を有するもののそれであるため、この部位の当接接合が確実になり、この部位に於ける槽内外の気密は確実なものとなる。
【００１６】
前記弾性気密材は、パネルの側部の上部又は下部に取り付けるための長尺の取付部と、該取付部に沿って配された筒形の弾性圧接部と、該弾性圧接部の上側部又は下側部に構成する規制部であって、対面する弾性圧接部相互が圧接させられた場合に圧接部位の後退を一定限度に規制する規制部とで構成することができる。
【００１７】
このように構成した場合は、前記のようにして槽の開口部にパネルを設置する際には、先ず、隣接するパネルの間隔を、その側部上下の弾性気密材の弾性圧接部を相互に対面させつつ縮小させる。
このとき、パネルに於いて、規制突条を一方の側部にのみ設けた場合は、その規制突条の先端が他方のパネルの側部に当接するまで、双方の側部に設けた場合は、両規制突条の先端が相互に当接するまで、パネル相互の間隔を縮小させ、これを通じて上記両側の弾性気密材を圧接圧縮し、次いで該弾性気密材の特に規制部の弾力で、該規制部が正常な直線状態に戻るまでパネル間の間隔を戻し、この状態で該パネルを固設する。
【００１８】
しかして隣接するパネル間で対面する弾性気密材の弾性圧接部は、前記のように、その先端部が相互に弾力的に圧縮後退させられつつ密着し合っているので槽内外の気密はこの部位では確実に保持され、加えて、上記弾力的な圧縮後退状態は、結局、前記規制部により、その限度に規制され、隣接するパネル間の間隔は常に一定に保たれることになり、複数のパネルによる開口部の被覆が正確に行なわれることとなる。
【００１９】
そのため槽内外の気密を確実に保持し得ることとなり、かつ一部のパネルの取り付け取り外しにも不都合は生じないし、上記のように、パネルの正確なセットにも都合が良い。
【００２０】
前記弾性圧接部を軟質の弾性部材で、前記取付部及び規制部を硬質の弾性部材で、それぞれ構成することができ、このように構成した場合には、弾性気密材を容易に一体に成形し得、かつ前記のような各部に相応しい弾性を容易に得られるので、槽内外の気密保持を確実に行なえるとともに、隣接するパネル間の間隔を正確に保持できる。
【００２１】
前記弾性圧接部を弾性の合成ゴムで発泡させつつ成形し、前記取付部及び規制部を弾性の硬質合成ゴムで成形することができ、このように構成した場合には、上記と同様に、弾性気密材を容易に一体に成形し得、かつ前記のような各部に相応しい弾性を容易に得られるので、槽内外の気密保持を確実に行なえるとともに、隣接するパネル間の間隔を正確に保持できる。
【００２２】
前記規制部を、前記筒形の弾性圧接部を構成する周壁の上側部又は下側部に当たる部位の内必要な部位を硬質の弾性部材で成形して構成することができ、このように構成した場合には、簡明な構成でありながら、隣接するパネル間の間隔を正確に保持でき、かつ規制部が下部側で直線性を維持するので、その下部の気密保持敷設材との間に隙間を生じ難くなり、槽内外の気密保持を確実に行なえることとなる。
【００２３】
前記規制部を、前記筒形の弾性圧接部を構成する周壁の上側部又は下側部に当たる部位の内必要な部位を弾性の硬質合成ゴムで成形して構成することができ、このように構成した場合には、以上と同様に、簡明な構成でありながら、槽内外の気密保持を確実に行なえるとともに、隣接するパネル間の間隔を正確に保持できることとなる。
【００２４】
前記弾性圧接部の両端部に、それを備えた弾性気密材をパネルの側部の下部に取り付けた場合に、その下側部側が前記気密保持敷設材に隙間なく当接し得るように、下部側の形状を平面的に保持する形状保持部材を充填する構成を採用することができ、このように構成した場合は、前記弾性圧接部の形状を適切に、特にその下部側の形状を平面的に保持することができることとなるので、前記のように、その下側部側が前記槽の開口部の周縁部とパネル間に配された気密保持敷設材に隙間なく当接し得ることとなる。このようにここに隙間が生じないので、槽内外の気密が保持し得、槽内の気体を外部に漏洩させる問題は生じなくなる。
【００２５】
前記気密保持敷設材を、長尺の弾性介在部とその厚みの圧縮寸法を一定限度に規制するスペーサ片とで構成することができ、このように構成した場合は、単なる一枚板の弾性材で構成したそれと異なり、この部位での気密保持が確実になる外、前記スペーサ片で前記弾性介在部の縮小が規制されるので、全パネルの高さを一定に保持し得る利点も得られるものである。
【００２６】
前記弾性介在部を軟質の弾性部材で二枚の板状部材に構成し、前記スペーサ片を上記二枚の板状部材に構成した弾性介在部の間にそれらと下面が一致しかつ一体である硬質の弾性部材の板状部材に構成することができ、このように構成した場合には、両弾性介在部にパネルの外端側を（側端部のパネルの場合は側部をも）載せるようにすれば、必然的にスペーサ片の上にも乗ることになり、この部位での気密保持が確実になる外、該スペーサ片で前記弾性介在部の縮小がその高さまでに規制されるので、全パネルの高さをより簡単に一定の高さに保持し得ることとなるものである。
【００２７】
また前記弾性介在部を弾性の合成ゴムで二枚の板状部材に発泡させつつ成形し、前記スペーサ片を上記二枚の板状部材に構成した弾性介在部の間にそれらと下面が一致しかつ一体である弾性の硬質合成ゴムの板状部材に成形して配した構成とすることができ、このように構成した場合には、上記の場合と全く同様に、両弾性介在部にパネルの外端側を（側端部のパネルの場合は側部をも）載せるようにすれば、この外端側（及び対応する側部）は、必然的にスペーサ片の上に乗ることとなり、この部位での気密保持が確実になる外、該スペーサ片で前記弾性介在部の縮小がその高さまでに規制されるので、全パネルの高さをより簡単に一定の高さに保持し得ることとなるものである。
【００２８】
隣接する二つのパネルに、その側部間に介在させた気密保持材の弾力により該二つのパネル間が拡開しようとするのを防止すべく、拡開防止手段を係脱自在に係止する構成を採用することができ、このように構成した場合には、これを隣接するパネルの側部間に係合すれば、云うまでもなく、隣接するパネル間の間隔が気密保持材の弾力で所要間隔以上に拡開しようとするのが防止され、正規の間隔が確実に保持されることとなるとともに、こうして気密保持材が無用な変形に至らない適切に圧縮された状態になり、この部位に於ける槽内外の気密が確実に保持されることとなる。
【００２９】
前記拡開防止手段を、隣接する二つのパネル、例えば、中空パネルの対面する側部を構成する両縦板部を同時に挟む一対の挟持板と、該一対の挟持板をその外端で繋ぐ結合板とで構成することができ、このように構成した場合には、前記のように、気密保持材の弾力によって隣接するパネル（中空パネル）間の間隔が所要の間隔以上に拡開するのを容易かつ確実に防止することができるとともに、これにより気密保持材が異常変形の生じない程度に圧縮され、この部位に於ける槽内外の気密が確実に保持されることとなる。しかもその拡開防止手段の係合は、対面するパネルを、その間が所要間隔以下になるまで気密保持材を圧縮した状態で、一対の挟持板の各々を両側のパネルの各側部の縦板部の背後側に挿入して両者を同時に挟むようにすれば良く、極めて簡単である。
【００３０】
なお、以上のパネルとしては、内部が充実したタイプのそれを用いても差し支えないが、通常、軽量で取り扱い易い軽金属製の中空押出パネルを採用するのが適当である。
【００３１】
【発明の実施の形態】
以下、発明の実施の形態を一実施例に基づいて添付図面を参照しつつ詳細に説明する。
図１〜図６は本発明の一実施例を示しており、図１は隣接する相互の中空パネルの連結状態を示した一部切欠端面図、図２は中空パネルを槽の開口部に取付固定する取付固定構造を示した断面斜視図、図３は中空パネルを槽の開口部に配した状態の一部切欠部分平面図、図４は中空パネルの端面方向から見た一部切欠斜視図、図５の(a)は弾性気密材の概略斜視図、図５の(b)は形状保持部材の概略斜視図、図６は気密保持敷設材の概略斜視図、図７は図１のＡ−Ａ線部分概略断面図である。また図８は従来の槽の蓋構造に於ける中空パネルの連結部の端面図である。
【００３２】
図１〜図３に示すように、この実施例の槽の蓋構造は、複数の中空パネル（パネル）１、１…と、該中空パネル１の両側部の上下に各々配した弾性気密材２と、上記中空パネル１、１…及びその側部の下部に配した弾性気密材２と槽Ｔの開口部Ｈの周縁部Ｅとの間に配する気密保持敷設材３と、隣接する中空パネル１、１間の間隔を一定以上に拡開しないように保持する拡開防止金具（拡開防止手段）４と、槽Ｔの開口部Ｈに配した中空パネル１、１…をその周縁部Ｅに取付固定する取付金具（取付手段）５とで構成するものである。
【００３３】
前記中空パネル１は、図１及び図４に示すように、その基本形状を複数の補強壁で内部を数区画に区画した断面四辺形の中空板材に構成し、その両側部を構成する両縦板部１１、１１の上下部にそれぞれ長さ方向に沿って取付溝１２を構成し、かつ両縦板部１１、１１のそれぞれ中央部に長さ方向に沿って規制突条１３を構成した部材である。
【００３４】
前記取付溝１２は、横方向に開くその開口の上下から開口中心に向かって結合鍔１４、１４を張出した構成のものである。
また前記規制突条１３は、中空パネル１、１…を設置する際に、隣接する中空パネルの間隔が、相互の規制突条１３、１３が当接することにより、対面圧接する弾性気密材２、２が適度な圧縮変形を僅かに越える程度までしか狭められないように規制するものである。
なお前記中空パネル１は、アルミニウム又はアルミウム合金で全体を一体に成形するものである。
【００３５】
前記弾性気密材２は、図１及び図５(a)に示すように、その後部に、前記中空パネル１の側部縦板部１１の上下部に長さ方向に沿って構成した取付溝１２に取り付けるための長尺の取付部２１を備え、その前部に弾性圧接部２２を備えるものである。
【００３６】
前記取付部２１は、図１及び図５(a)に示すように、前記中空パネル１の取付溝１２中に挿入する取付基部２３とその両側に構成した結合溝２４、２４とで構成したものであり、前記取付基部２３を前記取付溝１２中に挿入するとともに、結合溝２４、２４に前記取付溝１２の上下から張出した結合鍔１４、１４を嵌入させることで固定するようになっている。
【００３７】
図１及び図５(a)に示すように、前記弾性圧接部２２は、後記規制部２５の先端と後記起立部２６の先端とを繋ぐ状態に構成するものである。
上記規制部２５は、前記取付基部２３の前面の一方の側部にその突出方向と逆方向を向けて板状に立ち上げ、前記起立部２６は、前面の他方の側部に前記規制部２５と平行で短い板状に立ち上げたものである。
即ち、前記取付基部２３の前面、規制部２５、弾性圧接部２２及び起立部２６で筒状に構成し、前記取付部２１と反対側、即ち、前部側を弾性圧接部２２としたものである。
【００３８】
なお以上の取付部２１、規制部２５及び起立部２６は弾性を有する硬質の合成ゴムで一体に成形し、弾性圧接部２２は独立気泡に発泡させて適切な弾力を得た合成ゴム材を、前記のように、規制部２５の先端及び起立部２６の先端に結合して構成したものである。
また前記規制部２５の寸法は、この実施例の場合は、隣接する中空パネル１、１を槽Ｔの開口部Ｈに配する場合の両者の側部間の間隔の約１／２に定めれば良い。
更にまた前記弾性圧接部２２にはその筒形の内部と外部とを連通する通孔２７を開口しておくものとする。この通孔２７の開口位置は前記起立部２６から同方向に立上った部分とする。
【００３９】
以上の弾性気密材２には、図５(b)に示すように、端面から見て、その一辺が若干膨らむ部分円弧状をなす四辺形であるほぼ直方体状の形状保持部材２８を付設する。
この形状保持部材２８は、弾性気密材２の弾性圧接部２２の内側に構成される筒状の空洞部の内、端部に充填するものであって、図３及び図５に示すように、中空パネル１、１…を槽Ｔの開口部Ｈにセットする際に、図１に示すように、相互に圧接状態になる弾性気密材２、２の外形が、前記形状保持部材２８を充填した前記空洞部の端部に於いて、端面から見てほぼ方形となり、該弾性気密材２、２の下面側が前記気密保持敷設材３の上面に密着接合し、特に弾性気密材２、２の相互の弾性圧接部２２、２２の圧接部の下方、即ち、同図中、Ｘで示す部位に隙間が生じないように形状を保持する役割を果たすものである。
【００４０】
この形状保持部材２８は、合成ゴムを独立気泡に発泡させて適切な弾力を確保しつつ成形したものである。以上のように使用される過程で、端面から見て前記部分円弧状をなす辺は圧接変形されて直線状になるものであり、気密性を高める役割を果たしている。
【００４１】
前記気密保持敷設材３は、図６に示すように、前後二枚の長尺の弾性介在部３１、３２とその間に配する同様に長尺のスペーサ片３３とで構成するものである。
前記一方の弾性介在部３１は他方の弾性介在部３２より約二倍の幅広に構成し、かつ両弾性介在部３１、３２はスペーサ片３３の約二倍の厚みに構成する。また弾性介在部３１、３２は、各々上記スペーサ片３３の側部に相互に下面を一致させて結合するものである。
なお上記両弾性介在部３１、３２は合成ゴムで適切な弾力を有するように発泡成形し、かつスペーサ片３３は弾力性を有する硬質合成ゴムで成形したものである。
【００４２】
また前記拡開防止金具４は、図１及び図７に示すように、相互に平行な一対の挟持板４１、４１と、該一対の挟持板４１、４１をその外端で繋ぐ結合板４２とで構成したものである。上記挟持板４１、４１と上記結合板４２との結合部は結合板４２の面と平行な方向に膨らませた構造にしてあり、挟持板４１、４１の外端は相互に外開きになるように構成してある。
【００４３】
前記一対の挟持板４１、４１の間隔は、図１及び図７に示すように、隣接する一対の中空パネル１、１にそれぞれ配した弾性気密材２、２…を各弾性圧接部２２で相互に圧接状態に対面当接させ、相互の前記規制部２５、２５で規制される限度まで各弾性圧接部２２、２２を圧縮した状態で、両中空パネル１、１の各側部を構成する両縦板部１１、１１を同時に挟むことができるだけの寸法とする。なお以上の拡開防止金具４はその全要素をアルミニウム又はアルミニウム合金で一体に成形するものとする。
【００４４】
また前記取付金具５は、図２に示すように、槽Ｔの開口部Ｈの周縁部Ｅに外向に配する断面コ字形の支持金具５１と、それに着脱自在に取り付けて上記開口部Ｈ上に連設配置した中空パネル１、１…の端部又は側上部を抑える抑え金具５２と、前記支持金具５１を前記周縁部Ｅに、前記抑え金具５２を上記支持金具５１に、それぞれ着脱自在に取り付けるためのボルト・ナット５３、５３…とにより構成したものである。
【００４５】
前記支持金具５１は、その下方の横板部を周縁部Ｅ上にボルト・ナット５３、５３…により着脱自在に取り付け、前記抑え金具５２は、その前部で中空パネル１、１…を抑え、その後部を前記支持金具５１の上方の横板部にボルト・ナット５３、５３…で着脱自在に取り付けるものである。
なお前記支持金具５１と抑え金具５２とは、同一長さに構成し、数枚単位で中空パネル１を取り付け取り外しできるように、その長さは中空パネル１の幅に弾性気密材２の規制部２５の二倍の長さを加えた長さの数倍程度とする。
【００４６】
したがってこの実施例の槽の蓋構造では、以下のようにして、槽Ｔの開口部Ｈを閉じ、また開けることができるものである。
図１に示すように、予め、対象の槽Ｔの開口部Ｈの被覆に用いる数の中空パネル１、１…を用意し、それらの側部の取付溝１２、１２…にそれぞれ弾性気密材２を取り付けておく。
【００４７】
上記弾性気密材２は、その取付基部２３を上記取付溝１２中に挿入し、該取付溝１２の開口上下から張出した結合鍔１４、１４を各々上記取付基部２３の上下に構成した結合溝２４、２４に嵌入させることで固定する。また各弾性気密材２の空洞部の両端部には前記形状保持部材２８を充填しておくこととする。
なお中空パネル１の側部上部の取付溝１２に取付ける弾性気密材２はその規制部２５が上方に位置するように、側部下部の取付溝１２に取り付ける弾性気密材２は規制部２５が下方に位置するように、向きを定めておくものとする。
【００４８】
他方、対象の槽Ｔの開口部Ｈの周縁部Ｅ上には、図１〜図３に示すように、前記気密保持敷設材３を、その短幅の弾性介在部３２が内方に位置するように向きを定めて載置しておくものとする。
【００４９】
そうした上で必要数の中空パネル１、１…を、図１〜図３に示すように、その端部を開口部Ｈの周縁部Ｅ上に配した気密保持敷設材３上に載せつつ、槽Ｔ上に連設配置する。なお両側端の中空パネル１、１については、対応する側部側を開口部Ｈの周縁部Ｅ上に配した気密保持敷設材３上に載せることになるのは云うまでもない。
【００５０】
このように中空パネル１、１…を配する際、各隣接する中空パネル１、１を、相互の上下の弾性気密材２、２の弾性圧接部２２で対面当接させ、かつその中央部に構成した規制突条１３、１３が互いに当接するに至るまでその間隔を狭め、そうした上で、前記拡開防止金具４を両中空パネル１、１間に係合する。上記拡開防止金具４は、図１及び図７に示すように、その挟持片４１、４１をそれぞれ両中空パネル１、１の側部の縦板部１１の背後側に挿入し、その背後方向への移動を防止することで両中空パネル１、１間の拡開を防止する。
【００５１】
上記両中空パネル１、１間の間隔は、前記弾性気密材２、２…の弾力により、前記拡開防止金具４の許容する間隔まで戻るが、前記のように、この間隔で上下４本の気密保持材２、２…の規制部２５が直線状態に戻っており、異常変形がなくなっている。規制部２５は強い弾力性を有しており、これが直線状になるまで戻ろうとする強い弾力が働くものである。しかして前記拡開防止金具４及び弾性気密材２、２…の規制部２５によって中空パネル１、１間の間隔が正確に保持され、前記規制突条１３によってその適切な間隔に容易に導かれるようになっているものである。
【００５２】
また、図１に示すように、中空パネル１、１間の上方の弾性気密材２、２の規制部２５、２５及び下方の弾性気密材２、２の規制部２５、２５により、該中空パネル１、１間は、上下の双方で拡開防止金具４で許容された最大間隔まで拡開し、上下が正確に同一間隔となる。それ故、中空パネル１、１のいずれかの側部側が浮上りを生じる等の問題は生じない。
【００５３】
更に、以上のように隣接する中空パネル１、１がセットされると、その間の上下の弾性気密材２、２は、図１に示すように、それぞれの弾性圧接部２２、２２が圧接状態となり、規制部２５、２５の先端部まで縮小変形することになるが、規制部２５は硬質の合成ゴムで成形されたものであり、この場合にも直線性を維持する。加えて、弾性気密保持材２、２の筒状の空洞部の両端部には、前記したように、それぞれ形状保持部材２８が充填してあるので、その外形が、その部位に於いて、端面から見てほぼ方形に維持され、一層規制部２５、２５の直線性を補強し、弾性圧接部２２、２２側の縦方向の直線性をも確保する。
【００５４】
しかして、図１に示すように、特に、該弾性気密材２、２の下面側が開口部Ｈの周縁部Ｅに配してある気密保持敷設材３の上面に密着接合し、特に弾性気密材２、２の相互の弾性圧接部２２、２２の圧接部の下方、即ち、同図中、Ｘで示す部位に隙間が生じない。それ故、この部位の槽Ｔの気密保持が確実に行なえることとなる。
【００５５】
このように前記中空パネル１、１…を槽Ｔ上に連設配置した上で、図２に示すように、適当数の断面逆コ字形の支持金具５１と抑え金具５２とからなる取付金具５で該中空パネル１、１…の端部及び該当する側部上部を槽Ｔの開口部Ｈの周縁部Ｅに取り外し自在に固定する。
なお、前記したように、上記支持金具５１と抑え金具５２とは、同一長さに構成し、数枚単位で中空パネル１を取り付け取り外しできるように、その長さは中空パネル１の幅に弾性気密材２の規制部２５の二倍の長さを加えた長さの数倍程度としておく。
【００５６】
上記支持金具５１は、図２に示すように、その下方の横板部を前記開口部Ｈの周縁部Ｅ上に配し、これをボルト・ナット５３、５３…により該周縁部Ｅに着脱自在に固定する。そうした上で、前記抑え金具５２の前部側を該当する位置の前記中空パネル１、１…の端部上に載せ（対応する位置では側部上に載せ）、その後部をボルト・ナット５３、５３…により前記支持金具５１の上方の横板部に着脱自在に固定する。これを全中空パネル１、１…の両端部（対応する位置では側部）に於いて行なうことにより、槽Ｔの開口部Ｈの完全な被覆が完了する。
【００５７】
中空パネル１、１…は、以上のようにして、その端部が上方から抑えつけられ、端部下面が（側端部に位置する中空パネル１、１については該当する側部下面が同時に）、対応する前記気密保持敷設材３の両弾性介在部３１、３２を押し潰しつつ密着し、これらの部位からの漏気を防ぎ、更に各隣接する中空パネル１、１間ではその位置の下方に位置する弾性気密材２、２の規制部２５及びその前部の弾性圧接部２２の一部が、前記したように、前記気密保持敷設材３の両弾性介在部３１、３２を押し潰しつつ密着し、同様に、この部位からの槽Ｔ内のガス等の漏洩を防ぐものである。
【００５８】
なおまたこのとき、各中空パネル１は、その端部が（側端部に位置する中空パネル１、１については該当する側部下面が同時に）、前記気密保持敷設材３の弾性介在部３１、３２及びスペーサ片３３の上にも載ることとなるため、前記抑え金具５２で下方に抑えつけられても、該スペーサ片３３により規制され、その厚み以下には圧縮されることがないので、各々の高さが殆ど同一に保持できることとなるものである。
【００５９】
またこの槽Ｔの開口部Ｈを部分的に開けたい場合は、所望の部位の前記抑え金具５２を取り外すことで、それが抑えていた中空パネル１、１…の取り外しを自由に行なことができる。各中空パネル１は、開口部Ｈを覆う一枚蓋と異なり二人一組位の作業者で容易に取り扱うことができるので、簡単に取り外すことができる。この際、部分的な中空パネル１、１…の取り外しに障害になるものは何も存在していない。
【００６０】
したがってこの実施例の槽の蓋構造によれば、全面的又は部分的な開閉が容易であるとともに、槽Ｔ内外の気密を確実に保持し得る。また中空パネル１、１…の正確なセットも容易にできる。
【００６１】
【発明の効果】
したがって本発明の槽の蓋構造によれば、簡単な作業でパネルを正確に配置して槽の開口部を確実に閉じることができ、槽内外の気密が確実に保持できる。また開口部の部分的な開閉も容易である。
【００６２】
即ち、この槽の蓋構造によれば、隣接するパネル間に弾性の気密保持材が介在させてあるので、この部位に於ける槽内外の気密が確実に保持される。またパネルの側部の一方又は双方に規制突条が構成してあり、前記のように、これによってパネルを設置する際にその間隔が必要以上に縮小されるのを防止し得る。しかしてこれを通じて、槽内外の気密を保持するのに適当な気密保持材の縮小状態が確保できることとなる。また必要以上の縮小を防止することによって気密保持材の損傷の防止も確保できることとなる。更に以上によりパネル間の間隔がほぼ一定に保持し得ることににもなり、パネルの正確なセットが行なわれることとなる。
【００６３】
また前記槽の開口部の縁部とパネル下部及び下方の気密保持材の下面との間に配される弾性の気密保持敷設材によって、この部位に於ける槽内外の気密も確実に保持できることとなる。
【００６４】
またこの槽の蓋構造によれば、複数のパネルを連設配置してその側部間に気密保持材を介在させた構成のものであり、パネルは、所望の単位枚数づつ取付手段で取り付け取り外しすることが可能である。隣接する相互のパネルは、取り外しの際に、回転させるとか離間方向に引くとかの必要がないので、極めて簡単に取り外すことができるものである。
【００６５】
以上の本発明に於いて、前記気密保持材を一対の弾性気密材で構成し、上記各弾性気密材を、隣接する前記パネルの側部の上下に、各々先端部が対面当接するように固設した場合は、各々の弾性気密保持材の基部がパネルの側部に予め固設されるものであるため、その部位に於ける気密の保持が確実になり、かつ隣接するパネルの弾性気密材はその先端部が相互に対面当接するものであり、この当接は相互に弾力性を有するもののそれであるため、この部位の当接接合が確実になり、この部位に於ける槽内外の気密は確実なものとなる。
【００６６】
前記弾性気密材を、パネルの側部の上部又は下部に取付けるための長尺の取付部と、該取付部に沿って配された筒形の弾性圧接部と、該弾性圧接部の上側部又は下側部に構成する規制部であって、対面する弾性圧接部相互が圧接させられた場合に圧接部位の後退を一定限度に規制する規制部とで構成した場合には、隣接するパネル間で対面する弾性気密材の弾性圧接部は、その先端部が相互に弾力的に圧縮後退させられつつ密着し合うので槽内外の気密はこの部位では確実に保持され、加えて、上記弾力的な圧縮後退状態は、結局、上記規制部により、その限度に規制され、隣接するパネル間の間隔は常に一定に保たれることになり、複数のパネルによる開口部の被覆が正確に行なわれることとなる。しかも一部のパネルの取り付け取り外しにも不都合は生じない。
【００６７】
前記弾性圧接部を軟質の弾性部材で、前記取付部及び規制部を硬質の弾性部材で、それぞれ構成した場合には、弾性気密材を容易に一体に成形し得、かつ前記のような各部に相応しい弾性を容易に得られるので、槽内外の気密保持を確実に行なえるとともに、隣接するパネル間の間隔を正確に保持できる。
【００６８】
前記弾性圧接部を弾性の合成ゴムで発泡させつつ成形し、前記取付部及び規制部を弾性の硬質合成ゴムで成形した場合には、以上と同様に、弾性気密材を容易に一体に成形し得、かつ前記のような各部に相応しい弾性を容易に得られるので、槽内外の気密保持を確実に行なえるとともに、隣接するパネル間の間隔を正確に保持できる。
【００６９】
前記規制部を、前記筒形の弾性圧接部を構成する周壁の上側部又は下側部に当たる部位の内必要な部位を硬質の弾性部材で成形して構成した場合には、簡明な構成でありながら、隣接するパネル間の間隔を正確に保持でき、かつ特にパネルの側部下部に取り付けたそれについては、規制部が直線性を維持するので、その下部の気密保持敷設材との間に隙間を生じ難くなり、槽内外の気密保持を確実に行なえることとなる。
【００７０】
前記規制部を、前記筒形の弾性圧接部を構成する周壁の上側部又は下側部に当たる部位の内必要な部位を弾性の硬質合成ゴムで成形して構成した場合には、以上と同様に、簡明な構成でありながら、槽内外の気密保持を確実に行なえるとともに、隣接するパネル間の間隔を正確に保持できることとなる。
【００７１】
前記弾性圧接部の両端部に、それを備えた弾性気密材をパネルの側部の下部に取り付けた場合に、その下側部側が前記気密保持敷設材に隙間なく当接し得るように、下部側の形状を平面的に保持する形状保持部材を充填する構成を採用した場合は、前記弾性圧接部の形状を適切に、特にその下部側の形状を平面的に保持することができることとなるので、その下側部側が前記槽の開口部の周縁部とパネル間に配された気密保持敷設材に隙間なく当接し得ることとなる。こうして槽内外の気密が保持し得、処理槽内の気体を外部に漏洩させる問題は生じなくなる。
【００７２】
前記気密保持敷設材を、長尺の弾性介在部とその厚みの圧縮寸法を一定限度に規制するスペーサ片とで構成した場合は、単なる一枚板の弾性材で構成したそれと異なり、この部位での気密保持が確実になる外、前記スペーサ片で前記弾性介在部の縮小が規制されるので、全パネルの高さを一定に保持し得る利点も得られる。
【００７３】
前記弾性介在部を軟質の弾性部材で二枚の板状部材に構成し、前記スペーサ片を上記二枚の板状部材に構成した弾性介在部の間にそれらと下面が一致しかつ一体である硬質の弾性部材の板状部材に構成した場合には、両弾性介在部にパネルの外端側を載せるようにすれば、必然的にスペーサ片の上にも乗ることになり、この部位での気密保持が確実になる外、該スペーサ片で前記弾性介在部の縮小がその高さまでに規制されるので、全パネルの高さをより簡単に一定の高さに保持し得ることとなるものである。
【００７４】
前記弾性介在部を弾性の合成ゴムで二枚の板状部材に発泡させつつ成形し、前記スペーサ片を上記二枚の板状部材に構成した弾性介在部の間にそれらと下面が一致しかつ一体である弾性の硬質合成ゴムの板状部材に成形して配した場合には、以上の場合と全く同様に、両弾性介在部にパネルの外端側等を載せるようにすれば、この外端側等は、必然的にスペーサ片の上に乗ることとなり、この部位での気密保持が確実になる外、該スペーサ片で前記弾性介在部の縮小がその高さまでに規制されるので、全パネルの高さをより簡単に一定の高さに保持し得ることとなるものである。
【００７５】
隣接する二つのパネルに、その側部間に介在させた気密保持材の弾力により該二つのパネル間が拡開しようとするのを防止すべく、拡開防止手段を係脱自在に係止する構成を採用した場合には、これを隣接するパネルの側部間に係合すれば、云うまでもなく、隣接するパネル間の間隔が気密保持材の弾力で所要間隔以上に拡開しようとするのが防止され、正規の間隔が確実に保持されることとなるとともに、こうして気密保持材が無用な変形に至らない適切に圧縮された状態になり、この部位に於ける槽内外の気密が確実に保持されることとなる。
【００７６】
前記拡開防止手段を、隣接する二つのパネル、特に中空パネルの対面する側部を構成する両縦板部を同時に挟む一対の挟持板と、該一対の挟持板をその外端で繋ぐ結合板とで構成した場合には、前記のように、気密保持材の弾力によって隣接するパネル間の間隔が所要の間隔以上に拡開するのを容易かつ確実に防止することができるとともに、これにより気密保持材が異常変形の生じない程度に圧縮され、この部位に於ける槽内外の気密が確実に保持されることとなる。しかもその拡開防止手段の係合は極めて簡単に行なえるものである。
【図面の簡単な説明】
【図１】隣接する相互の中空パネルの連結状態を示した一部切欠端面図。
【図２】中空パネルを槽の開口部に取付固定する取付固定構造を示した断面斜視図。
【図３】中空パネルを槽の開口部に配した状態の一部切欠部分平面図。
【図４】中空パネルの端面方向から見た一部切欠斜視図。
【図５】(a)は弾性気密材の概略斜視図。
(b)は形状保持部材の概略斜視図。
【図６】気密保持敷設材の概略斜視図。
【図７】図１のＡ−Ａ線部分概略断面図。
【図８】従来の槽の蓋構造に於ける中空パネルの連結部の端面図。
【符号の説明】
１    中空パネル
１１  縦板部
１２  取付溝
１３  規制突条
１４  結合鍔
２    弾性気密材
２１  取付部
２２  弾性圧接部
２３  取付基部
２４  結合溝
２５  規制部
２６  起立部
２７  通孔
２８  形状保持部材
３    気密保持敷設材
３１、３２  弾性介在部
３３  スペーサ片
４    拡開防止金具
４１  挟持板
４２  結合板
５    取付金具
５１  支持金具
５２  抑え金具
５３  ボルト・ナット
Ｅ    周縁部
Ｈ    開口部
Ｔ    槽
【図１】
0003874878.tif 000002
【図２】
0003874878.tif 000003
【図３】
0003874878.tif 000004
【図４】
0003874878.tif 000005
【図５】
0003874878.tif 000006
【図６】
0003874878.tif 000007
【図７】
0003874878.tif 000008
【図８】
0003874878.tif 000009